(57)【特許請求の範囲】
【請求項１】
便器ボウルの下部外周側を全周に亘って覆う樹脂製のスカートの内部空間に加振器を収納すると共に、樹脂製のスカートを直接振動させてトイレ空間に音を発生させるように加振器の振動部を該スカートの内面に取り付け、スカートにおける加振器の取付部位に、加振器の振動部の形状に応じた平面部が設けられ、スカートに固定具であるネジを固定するためのネジ固定部が設けられ、平面部に加振器が載置され、加振器のスカートの内側方向の端面に緩衝材が載置され、加振器と緩衝材を覆う固定部材が設けられ、ネジ固定部と固定部材とがネジで締結されると共に、固定部材と平面部とで緩衝部材が挟持されることを特徴とするトイレ装置。
【請求項２】
上記スカートの内部空間の左右両側に複数の加振器を設置したことを特徴とする請求項１記載のトイレ装置。
【発明の詳細な説明】
【技術分野】
【０００１】
本発明は、トイレ装置に関し、詳しくは便器ボウルを覆うスカートの内部空間に加振器を設置したトイレ装置に関するものである。
【背景技術】
【０００２】
従来から、便器ボウルの下部外周側をスカートで覆うようにした洋式のトイレ装置が知られている（例えば、非特許文献１参照）。
【０００３】
ところで、現在のトイレ空間において、音楽を聞いたり或いは使用時の排水擬似音等の音を発生させたりするためのスピーカ装置２０を設置する場合が多い。
【０００４】
本発明者らは本発明に至る過程で、スピーカ装置２０の取付部位として、図４（ａ）のようにトイレ装置１のスカート２の前部両側にスピーカ装置２０を取り付ける前側設置構造と、図４（ｂ）のようにスカート２の後面両側にスピーカ装置２０を取り付ける後側設置構造とを開発した。
【０００５】
しかしながらスピーカ装置２０は音を放射するための開口部を必要とするため、スカート２に設置する場合は、スピーカ装置２０の発音部が露出して見栄えが低下するという課題があり、またスカート２の開口部を防水構造にする必要があり、コストが高くつくという課題があった。
【非特許文献１】松下電工株式会社、カタログ「アラウーノ」、２００６年１１月発行
【発明の開示】
【発明が解決しようとする課題】
【０００６】
本発明は上記の従来の問題点に鑑みて発明したものであって、便器ボウルのスカートを直接振動させてトイレ空間に音を発生させることができ、さらに音質向上を図ることができると共に、外観上の見栄えを良くできる加振器を備えたトイレ装置を提供することを課題とするものである。
【課題を解決するための手段】
【０００７】
前記課題を解決するために本発明は、便器ボウル１０の下部外周側を全周に亘って覆う樹脂製のスカート２の内部空間２ｃに加振器３を収納すると共に、樹脂製のスカート２を直接振動させてトイレ空間に音を発生させるように加振器３の振動部３ａを該スカート２の内面２ａに取り付け、スカート２における加振器３の取付部位に、加振器３の振動部３ａの形状に応じた平面部２ｂが設けられ、スカート２に固定具であるネジ７を固定するためのネジ固定部が設けられ、平面部２ｂに加振器３が載置され、加振器３のスカート２の内側方向の端面に緩衝材８が載置され、加振器３と緩衝材８を覆う固定部材６ａが設けられ、ネジ固定部と固定部材６ａとがネジ７で締結されると共に、固定部材６ａと平面部２ｂとで緩衝部材８が挟持されることを特徴としている。
【０００８】
このような構成とすることで、樹脂製のスカート２の内部空間２ｃに加振器３を設置して、スカート２を音声発信板として機能させ、スカート２の内部空間２ｃをバックキャビティとして機能させることにより、スカート２を直接振動させてトイレ空間に音楽や、使用時の音消しとして排水擬似音等の音を発生させることができるようになり、しかも加振器３がスカート２表面に露出しないため、外観上の見栄えが良くなると共に、外観を考慮して加振器３を小型化する必要がなく、そのうえ加振器３を防水構造する必要もなくなる。また、平面部２ｂに対して加振器３の振動部３ａを密着させることが容易となり、加振器３の振動がスカート２に伝播しやすくなると共に、加振器３の設置角度も決まりやすくなる。
【０００９】
また、上記スカート２の内部空間２ｃの左右両側に複数の加振器３を設置するのが好ましく、この場合、左右複数の加振器３によってステレオ感を増大させることができる。
【発明の効果】
【００１１】
本発明は、便器ボウルの下部外周側を覆う樹脂製のスカートを直接振動させてトイレ空間に音楽や、使用時の音消しとして排水擬似音等の音を発生させることができると共に、加振器がスカート表面に露出しないため、外観上の見栄えが良くなり、意匠性を向上させることができると共に、外観を考慮して加振器を小型化する必要がないため、音質を向上させることができ、そのうえ加振器を防水構造とする必要がないためコストを低減できるものである。
【発明を実施するための最良の形態】
【００１２】
以下、本発明を添付図面に示す実施形態に基いて説明する。
【００１３】
図１（ａ）に示す洋式のトイレ装置１において、便器ボウル１０の上端部のリム面に便座１１が設置され、便座１１の上面が便蓋１２で開閉自在に覆われると共に、便器ボウル１０の下部外周側はその全周に亘ってスカート２にて覆われている。
【００１４】
スカート２は、例えば合成樹脂材料で形成されている。また、本例のスカート２の前側壁２ｄは上端から下端にいくほど後方に凹むように傾斜しており、例えば、座って用を足す際に着衣が便器ボウル１０のリムに触れて濡れたり汚れたりするのを防止でき、さらに、例えば、男性の尿が前側壁２ｄにかかるのを防止できるようにしている。
【００１５】
ここで、本発明においては、図１（ｂ）（ｃ）に示すように、上記樹脂製のスカート２の内部空間２ｃに加振器３を設置し、この樹脂製のスカート２の内面２ａに加振器３の振動部３ａを取り付けることで、加振器３によりスカート２を直接振動させてトイレ空間に音を発生させるように構成している。
【００１６】
本例の加振器３は、スカート２の傾斜した前側壁２ｄの内面２ａに取り付けられており、これにより加振器３の向きは図１（ｃ）の矢印Ｂで示すように斜め下向きとされる。また本例では前側壁２ｄの左右２箇所に加振器３を設置している。
【００１７】
なお加振器３としては、例えば、電磁誘導を利用したダイナミック型アクチュエータ、超磁歪材料を用いて広帯域で超音波を発生する超磁歪型アクチュエータ、圧電素子が取り付けられた音声発信板をケース内に設けた圧電型アクチュエータ等、スピーカーの原理を応用したものであればよく、特に限定されない。
【００１８】
しかして、便器ボウル１０を覆う樹脂製のスカート２の内部空間２ｃに加振器３を設置して、スカート２を音声発信板として機能させ、スカート２の内部空間２ｃをバックキャビティとして機能させるようにしたことにより、トイレ空間に音楽や、使用時の音消しとして排水擬似音等の音を効率よく発生させることができる。しかも加振器３がスカート２表面に露出しないため、外観上の見栄えが良く意匠性を向上させることができると共に、外観を考慮して加振器３を小型化する必要がないため、音質を向上させることができ、そのうえ加振器３を防水構造とする必要がないためコストを低減できるものである。この結果、トイレ装置１の見栄えを良くしながら、音質向上と低コスト化を図ることが可能となる。
【００１９】
また本例の加振器３は、スカート２の前側壁２ｄの傾斜した内面２ａに対して図１（ｃ）の矢印Ｂのように斜め下向きにして取り付けられているため、トイレの使用者の足元から音が発生すると共に、加振器３からスカート２を伝播して発せられた音は床面４に当たって反射してトイレの空間全体に広がりやすくなって反響音のバランスに優れたものとなる。そのうえ２個の加振器３を左右に配置しているため、左右のバランスがよく、ステレオ感を増大させることができる利点もある。
【００２０】
図２は、上記加振器３を取り付けるスカート２の取付部位の形状の一例を示している。図２（ａ）において、スカート２の内面２ａは曲面形状をしているため、ここに加振器３を設置する場合は振動部３ａとスカート２の内面２ａとの間に隙間Ｓが生じるようになり、振動が効率的に伝播しないという問題が想定される。
【００２１】
そこで、スカート２の内面２ａに加振器３の振動部３ａと隙間なく密着可能な平面部２ｂを設けるのが望ましい。この平面部２ｂの形状は加振器３の振動部３ａよりも大きな面積を有している。またこのとき、振動の伝播性能とスカート２の成形性とを考慮して、図２（ｂ）又は図２（ｃ）に示す平面部２ｂを形成する。
【００２２】
図２（ｂ）は凹型の平面部２ｂの一例であり、スカート２の内面２ａの一部（加振器３の取付部位)から凹ませた平面部２ｂとしたものであり、この場合、加振器３の振動部３ａの直前のスカート２に他の部分の肉厚Ｄよりも薄い最薄肉部ｄ（＜Ｄ）が形成可能となり、振動が伝播しやすくなる。なお、最薄肉部ｄの厚みは３〜５ｍｍ程度としてもよい。一方、図２（ｃ）は凸型の平面部２ｂの一例であり、スカート２の内面２ａの一部を突出させて平面部２ｂとしたものであり、この場合、平面部２ｂの厚みが肉厚となるため衝撃等の強度に優れるものとなる。ここで、スカート２は樹脂製なので、陶器の場合と異なり、図２（ｂ）又は（ｃ）の平面部２ｂの形成が容易となる。
【００２３】
図３は上記加振器３の取り付け構造の一例を示している。図３（ａ）は、スカート２にネジ７を固定するためのネジ固定部となる突出部６ｂを設け、固定部材６ａにより加振器３を背後から覆い、ネジ７で押し付け固定を行なう。加振器３と固定部材６ａとの隙間には、加振器３の振動によるビビリ音抑止のための緩衝部材８を設置してもよい。固定部材６ａはスカート２の取付部位に向けて加振器３を押し付けることが可能な材料、例えば金属或いは硬質樹脂などの剛性材により形成されており、またこのとき加振器３の通電線を通すための通線口（図示せず）を有する構造とするのが望ましい。固定部材６ａの固定用フランジ６ｃをネジ７にて突出部６ｂにネジ固定することで、加振器３の振動部３ａがスカート２に押し付け固定されるようになる。これにより、スカート２に対する加振器３の位置決め精度と機械的強度を向上させることができる。
【００２４】
図３（ｂ）は、加振器３の振動部３ａを接着剤９にてスカート２の内面２ａに接合すると共に係合手段５により係合させた場合の一例を示している。本例では、加振器３と係合することが可能な係合部材５ａのベース５ｂをスカート２の内面２ａに接着固定すると共に、係合部材５ａに設けた爪５ｃを加振器３の両端に設けた凹部５ｄに圧入嵌合により係合させるものである。この場合、係合部材５ａのベース５ｂを薄肉にすることで振動の伝播性を良好に保つことが可能となる。なお圧入嵌合方式以外に、例えば、ネジのように加振器３を回して係合部材５ａの爪５ｃに対してネジリ嵌合させる方式であってもよい。しかして、接着剤９と係合部材５ａとを組み合わせたことにより、スカート２に対する加振器３の取り付け強度を向上させることができる。なお、加振器３を直接、接着剤９にてスカート２の平面部２ｂに接着固定してもよい。この場合、スカート２表面に露出しない加振器３に対して外部から力がかかることがないため、接着剤９による接合のみでも十分な取り付け強度を確保できるものとなる。
【００２５】
なお、前記図１〜図３の各実施形態では、加振器３の取付部位としてスカート２の前側壁２ｄの内面２ａを例示したが、勿論これに限らず、スカート２の左右両側壁の各内面２ａ、或いは、後側壁の内面２ａであってもよい。また加振器３の数も２個に限らず、１個或いは３個以上であってもよく、加振器３の取り付け位置及び数は適宜設計変更自在である。
【図面の簡単な説明】
【００２６】
【図１】本発明の一実施形態を示し、（ａ）は樹脂製のスカートの内面に加振器を設置したトイレ装置の斜視図であり、（ｂ）はスカートの正面図であり、（ｃ）は（ｂ）のＡ−Ａ線断面図である。
【図２】同上の加振器の設置状態の説明図であり、（ａ）はスカートの内面の曲面部分に加振器を設置した状態の断面図、（ｂ）（ｃ）はスカートの内面に設けた平面部に加振器を設置した状態の断面図である。
【図３】同上の加振器の取り付け状態の説明図であり、（ａ）は加振器の振動部をネジでスカートの平面部に対して固定する場合の説明図、（ｂ）は同上の加振器の振動部を係合部材にて係合させ且つ係合部材を接着剤にてスカートの内面に接合した場合の説明図である。
【図４】（ａ）（ｂ）は参考例の説明図である。
【符号の説明】
【００２７】
１  トイレ装置
２  スカート
２ａ  内面
２ｂ  平面部
２ｃ  内部空間
３  加振器
３ａ  振動部
５  係合部材
７  ネジ
９  接着剤
１０  便器ボウル
【図１】
0005324776.tif 000002
【図２】
0005324776.tif 000003
【図３】
0005324776.tif 000004
【図４】
0005324776.tif 000005